(57)【要約】【課題】焼きムラを抑えて被調理物を加熱できるバーベキューグリル及び網焼き器を提供する。【解決手段】バーベキューグリル１０は、それぞれ炭を受ける複数の炭受け１４と、それぞれ炭によって加熱される被調理物が内部に投入される複数の網焼き器２０と、を備え、複数の炭受け１４が並んで配置され、複数の網焼き器２０がそれぞれ複数の炭受け１４の上方に配置されている。炭受け１４は、網焼き器２０が並ぶ方向に前記炭が散らばることを抑制する抑制部１４４ａ、１４４ｂを有する。【選択図】図１
2017202156.tif 000002
【特許請求の範囲】
【請求項１】
それぞれ炭を受ける複数の炭受けと、
それぞれ前記炭によって加熱される被調理物が内部に投入される複数の網焼き器と、を備え、
前記複数の炭受けが並んで配置され、
前記複数の網焼き器がそれぞれ前記複数の炭受けの上方に配置されたバーベキューグリル。
【請求項２】
請求項１記載のバーベキューグリルであって、
前記炭受けが、前記網焼き器が並ぶ方向に前記炭が散らばることを抑制する抑制部を有するバーベキューグリル。
【請求項３】
請求項２記載のバーベキューグリルであって、
前記網焼き器が、筒状の網で形成された網部と、
前記網部の長手方向の一方の側を覆う側部と、
前記網部の長手方向の他方の側を覆う蓋部と、
着脱可能に取り付けられ、前記蓋部、前記網部、及び前記側部を通るハンドルと、を有するバーベキューグリル。
【請求項４】
請求項３記載のバーベキューグリルであって、
前記蓋部に、前記網部の内周部に嵌まる窪みが形成されているバーベキューグリル。
【請求項５】
請求項４記載のバーベキューグリルであって、
前記蓋部の直径が、前記網部の直径よりも大きく、前記蓋部の外周部に手を掛けることができるバーベキューグリル。
【請求項６】
請求項５記載のバーベキューグリルであって、
前記蓋部の中心部から離れた位置に孔が形成され、
前記ハンドルが、前記孔に挿入される固定部を有するバーベキューグリル。
【請求項７】
請求項６記載のバーベキューグリルであって、
前記蓋部に基端側が取り付けられたコイルばねと、
前記コイルばねの先端側に設けられ前記網部に引っ掛けられるフックと、を更に備えたバーベキューグリル。
【請求項８】
筒状の網で形成された網部と、
前記網部の長手方向の一方の側を覆う側部と、
前記網部の長手方向の他方の側を覆う蓋部と、
前記側部及び前記蓋部に着脱可能に取り付けられ、前記網部の内部を通るハンドルと、を備え、
前記蓋部に、前記網部に嵌まる窪みが形成されている網焼き器。
【発明の詳細な説明】
【技術分野】
【０００１】
本発明は、バーベキューグリル及び網焼き器に関する。
【背景技術】
【０００２】
特許文献１には、焼き茄子独特の風味、旨みを失わず、簡単な操作でムラなく均一に焼き上げることができ、焙焼完了後の焼き茄子表皮の剥離性も良好な焼き茄子補助具が記載されている。この焼き茄子補助具は、茄子を収容する筒体形状の茄子容器に把手を設け、茄子容器の側面を、長手方向の側面部材のみで構成することにより長手方向に連続した空隙を設けたことを特徴としている。
【先行技術文献】
【特許文献】
【０００３】
【特許文献１】特開平9−37960号公報
【発明の概要】
【発明が解決しようとする課題】
【０００４】
本発明は、焼きムラを抑えて被調理物を加熱できるバーベキューグリル及び網焼き器を提供することを目的とする。
【課題を解決するための手段】
【０００５】
前記目的に沿う第１の発明に係るバーベキューグリルは、それぞれ炭を受ける複数の炭受けと、
それぞれ前記炭によって加熱される被調理物が内部に投入される複数の網焼き器と、を備え、
前記複数の炭受けが並んで配置され、
前記複数の網焼き器がそれぞれ前記複数の炭受けの上方に配置されている。
【０００６】
第１の発明に係るバーベキューグリルにおいて、
前記炭受けが、前記網焼き器が並ぶ方向に前記炭が散らばることを抑制する抑制部を有することが好ましい。
【０００７】
第１の発明に係るバーベキューグリルにおいて、
前記網焼き器が、筒状の網で形成された網部と、
前記網部の長手方向の一方の側を覆う側部と、
前記網部の長手方向の他方の側を覆う蓋部と、
着脱可能に取り付けられ、前記蓋部、前記網部、及び前記側部を通るハンドルと、を有していてもよい。
【０００８】
第１の発明に係るバーベキューグリルにおいて、
前記蓋部に、前記網部の内周部に嵌まる窪みが形成されていることが好ましい。
【０００９】
第１の発明に係るバーベキューグリルにおいて、
前記蓋部の直径が、前記網部の直径よりも大きく、前記蓋部の外周部に手を掛けることができることが好ましい。
【００１０】
第１の発明に係るバーベキューグリルにおいて、
前記蓋部の中心部から離れた位置に孔が形成され、
前記ハンドルが、前記孔に挿入される固定部を有することが好ましい。
【００１１】
第１の発明に係るバーベキューグリルにおいて、
前記蓋部に基端側が取り付けられたコイルばねと、
前記コイルばねの先端側に設けられ前記網部に引っ掛けられるフックと、を更に備えることが好ましい。
【００１２】
前記目的に沿う第２の発明に係る網焼き器は、筒状の網で形成された網部と、
前記網部の長手方向の一方の側を覆う側部と、
前記網部の長手方向の他方の側を覆う蓋部と、
前記側部及び前記蓋部に着脱可能に取り付けられ、前記網部の内部を通るハンドルと、を備え、
前記蓋部に、前記網部に嵌まる窪みが形成されている。
【発明の効果】
【００１３】
本発明によれば、焼きムラを抑えて被調理物を加熱できるバーベキューグリル及び網焼き器を提供できる。
【図面の簡単な説明】
【００１４】
【図１】本発明の一実施の形態に係るバーベキューグリルの外観図である。
【図２】同バーベキューグリルが備える炭受け及び焼台の外観図である。
【図３】（Ａ）、（Ｂ）、及び（Ｃ）は、それぞれ同バーベキューグリルが備える炭受けの平面図、側面図、及び正面図である。
【図４】同バーベキューグリルが備える網焼き器の外観図である。
【図５】同バーベキューグリルが備える網焼き器の分解図である。
【発明を実施するための形態】
【００１５】
続いて、添付した図面を参照しつつ、本発明を具体化した実施の形態につき説明し、本発明の理解に供する。なお、図において、説明に関連しない部分は図示を省略する場合がある。
【００１６】
本発明の一実施の形態に係るバーベキューグリル１０は、例えばイベント等において、大量の被調理物（例えば数センチメートル角の肉）を焼くことができる。
バーベキューグリル１０は、図１及び図２に示すように、焼台１２、炭を受ける炭受け１４、及び炭によって加熱される網焼き器２０を備えている。
【００１７】
焼台１２は、図２に示すように、炭受け１４が収まり、網焼き器２０が載せられる台である。焼台１２は、受け部１２２、脚部１２４、及びフレーム１２５ａ、１２５ｂを有している。
【００１８】
受け部１２２は、上側が開口し、平面視して左右方向が長手となる矩形状の容器である。受け部１２２の上には、複数の炭受け１４が長手方向に並んで配置される。受け部１２２は、炭受け１４から落下した炭等を受けることができる。
受け部１２２の側面には、炭の燃焼に必要な空気の流量を調整するための空気調整窓１２８が設けられている。
脚部１２４は、受け部１２２の各角に設けられ、各脚部１２４の下端部にはキャスター１３０が設けられている。
フレーム１２５ａ、１２５ｂは、間隔を空けて受け部１２２の長手方向に延び、両端がそれぞれ脚部１２４の上端部に固定されている。フレーム１２５ａ、１２５ｂの上側の縁には、それぞれ、網焼き器２０が嵌まる窪み１２６が各炭受け１４の位置に対応して形成されている。
【００１９】
炭受け１４は、図３（Ａ）〜図３（Ｃ）に示すように、底板１４２及び側面板１４４ａ、１４４ｂを有している。
底板１４２は、平面視して矩形状であり、間隔を空けて複数の孔Ｈ１４２ａ、Ｈ１４２ｂが形成されている。複数の孔Ｈ１４２ａは、それぞれ炭受け１４を焼台１２の受け部１２２に固定するためのネジが通る孔であり、複数の孔Ｈ１４２ｂは、それぞれ底板の上に載る炭に下方から空気を供給するための空気孔である。
【００２０】
側面板（抑制部の一例）１４４ａ、１４４ｂは、それぞれ底板１４２の端部から延び、側面板１４４ａ、１４４ｂの間隔は、上方にある網焼き器２０の方向に向かうに従って広くなっている。従って、側面板１４４ａ、１４４ｂにより、炭受け１４が並ぶ方向に炭が散らばることが抑制される。また、側面板１４４ａ、１４４ｂにより、底板上の炭が発生する熱が網焼き器２０の方向へ反射するので、効率よく網焼き器２０が加熱される。
また、側面板１４４ａ、１４４ｂには、それぞれ複数の孔Ｈ１４４が形成されている。複数の孔Ｈ１４４は、それぞれ炭に対して側方から空気を供給するための空気孔である。
【００２１】
網焼き器２０は、図４及び図５に示すように、網部２０２、側部２０４、蓋部２０６、及びハンドル２０８を有し、内部に肉等の被調理物が投入される。
網部２０２は、筒状の網で形成されている。網の目の大きさは、被調理物の大きさよりも細かくなっている。
側部２０４は、網部２０２の長手方向の一方の側を覆う円板状の部材である。側部２０４の直径は、網部２０２の直径よりも大きくなっている。側部２０４の外周部を除く部分は網部２０２の内側に向かって窪んでいる。側部２０４の中心部には、孔Ｈ２０４が形成されている。
【００２２】
蓋部２０６は、網部２０２の長手方向の他方の側を覆う円板状の部材である。蓋部２０６の直径は、網部２０２の直径よりも大きくなっており、バーベキューグリル１０の使用者が外周部に手を掛けて、網焼き器２０の長手方向が上下方向となるように持つことができる。
蓋部２０６の外周部を除く部分は網部２０２の内側に向かって窪んでいる。蓋部２０６は、この窪みが網部２０２の内周部に嵌まることにより、網部２０２に対して位置決めされる。
蓋部２０６の中心部には、孔Ｈ２０６ａが形成され、中心部から離れた位置は孔Ｈ２０６ｂが形成されている。
蓋部２０６の一方の側の端には、網部２０２に連結される連結部（不図示）が設けられ、図５の矢印で示すように、この連結部を軸として網部２０２の開口部を開閉できるように取り付けられている。
蓋部２０６の他方の側（孔Ｈ２０６ａを挟んで連結部の反対側）の端には、引張コイルばね２１０の基端側が取り付けられている。この引張コイルばね２１０の先端側には、フック２１２が取り付けられている。フック２１２が網部２０２に引っ掛けられることにより、図４に示すように、蓋部２０６が網部２０２に固定される。
【００２３】
ハンドル２０８は、網部２０２の内部を通る丸棒状の部材であり、側部２０４及び蓋部２０６に着脱可能に取り付けられている。ハンドル２０８は、図５に示すように、支持部２０８ａ、把手部２０８ｂ、及び固定部２０８ｃを有している。
支持部２０８ａは、蓋部２０６の孔Ｈ２０６ａに挿入され、網部２０２の内部を通り、側部２０４の孔Ｈ２０４に挿入される。孔Ｈ２０４を通った支持部２０８ａの先端は、側部２０４から外側に突出する。支持部２０８ａの一方の側と他方の側は、それぞれ、焼台１２のフレーム１２５ａ、１２５ｂの上側の縁に形成された窪み１２６（図２参照）に載せられる。
把手部２０８ｂは、使用者が調理中に握る部分であり、支持部２０８ａから径方向にずれて延びている。
固定部２０８ｃは、支持部２０８ａから延び、蓋部２０６の孔Ｈ２０６ｂに挿入される。固定部２０８ｃの幅は、孔Ｈ２０６ｂの直径よりも僅かに大きく設定されているので、変形させて孔Ｈ２０６ｂに押し込むことで、ハンドル２０８が容易には抜けなくなる。
【００２４】
次に、バーベキューグリル１０の使用手順について説明する。バーベキューグリル１０は、以下の手順１〜８に従って使用され、被調理物が調理される。なお、以下に示す各手順は、可能な場合は、順番が入れ替わって実施されてもよいし並行して実施されてもよい。
【００２５】
（手順１）
図２に示す焼台１２の炭受け１４に炭を載せ、着火する。
（手順２）
網焼き器２０の蓋部２０６の外周部に手を掛けて持ち、網焼き器２０を側部２０４が下側になるようにして立てる。
【００２６】
（手順３）
網焼き器２０からハンドル２０８を引き抜いた後、フック２１２を外し、蓋部２０６を開ける。
（手順４）
網部２０２の内部に被調理物を投入する。
【００２７】
（手順５）
蓋部２０６を閉め、フック２１２を網部２０２に引っ掛ける。
【００２８】
（手順６）
ハンドル２０８の支持部２０８ａを蓋部２０６の孔Ｈ２０６ａ及び側部２０４の孔Ｈ２０４に通し、固定部２０８ｃを変形させて孔Ｈ２０６ｂに挿入する。
【００２９】
（手順７）
ハンドル２０８の支持部２０８ａを焼台１２の窪み１２６に載せる。すなわち、網焼き器２０を焼き台１２に載せる。
（手順８）
ハンドル２０８の把手部２０８ｂを持って網焼き器２０を回転させながら、被調理物を加熱する。
被調理物は、網焼き器２０の内部にて転がるように移動しながら加熱される。
【００３０】
従って、本実施の形態に係るバーベキューグリル１０によって加熱された被調理物は焼きムラが抑えられるので、効率よく調理される。また、炭受け１４によって炭が散らばることがないので、炭の火力が分散されることが抑制され、網焼き器２０が効率よく加熱される。
【００３１】
以上、本発明の実施の形態を説明したが、本発明は、上記した形態に限定されるものでなく、要旨を逸脱しない条件の変更等は全て本発明の適用範囲である。
【符号の説明】
【００３２】
１０  バーベキューグリル
１２  焼台
２０  網焼き器
１２２  受け部
１２４  脚部
１２５ａ、１２５ｂ  フレーム
１２６  窪み
１２８  空気調整窓
１３０  キャスター
１４  炭受け
１４２  底板
１４４ａ、１４４ｂ  側面板
２０２  網部
２０４  側部
２０６  蓋部
２０８  ハンドル
２０８ａ  支持部
２０８ｂ  把手部
２０８ｃ  固定部
２１０  引張コイルばね
２１２  フック
Ｈ１４２ａ、Ｈ１４２ｂ  孔
Ｈ１４４、Ｈ２０４  孔
Ｈ２０６ａ、Ｈ２０６ｂ  孔
【図１】
2017202156.tif 000003
【図２】
2017202156.tif 000004
【図３】
2017202156.tif 000005
【図４】
2017202156.tif 000006
【図５】
2017202156.tif 000007
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
並んで配置され、それぞれ炭を受ける複数の炭受けと、
それぞれ前記複数の炭受けの上方に配置され、前記炭によって加熱される被調理物が内部に投入される複数の網焼き器と、を備え、
前記炭受けが、前記網焼き器が並ぶ方向に前記炭が散らばることを抑制する抑制部を有し、
前記網焼き器が、筒状の網で形成された網部と、
前記網部の長手方向の一方の側を覆う側部と、
前記網部の内周部に嵌まる窪みが形成され、前記網部の長手方向の他方の側を覆う蓋部と、
着脱可能に取り付けられ、前記蓋部、前記網部、及び前記側部を通るハンドルと、を有し、
前記蓋部の直径が、前記網部の直径よりも大きく、該蓋部の外周部に手を掛けることができ、
前記蓋部の中心部から離れた位置に孔が形成され、前記ハンドルが、該孔に挿入される固定部を有するバーベキューグリル。
【請求項２】
請求項１記載のバーベキューグリルであって、
前記網焼き器が、前記蓋部に基端側が取り付けられたコイルばねと、
前記コイルばねの先端側に設けられ前記網部に引っ掛けられるフックと、を更に有するバーベキューグリル。
【請求項３】
筒状の網で形成された網部と、
前記網部の長手方向の一方の側を覆う側部と、
前記網部に嵌まる窪みが形成され、前記網部の長手方向の他方の側を覆う蓋部と、
前記側部及び前記蓋部に着脱可能に取り付けられ、前記網部の内部を通るハンドルと、
を備え、
前記蓋部の直径が、前記網部の直径よりも大きく、該蓋部の外周部に手を掛けることができ、
前記蓋部の中心部から離れた位置に孔が形成され、前記ハンドルが、該孔に挿入される固定部を有する網焼き器。
【請求項４】
筒状の網で形成された網部と、
前記網部の長手方向の一方の側を覆う側部と、
前記網部の長手方向の他方の側を覆う蓋部と、
前記側部及び前記蓋部に着脱可能に取り付けられ、前記網部の内部を通るハンドルと、
を備え、
前記蓋部の中心部から離れた位置に孔が形成され、前記ハンドルが、該孔に挿入される固定部を有する網焼き器。
【請求項５】
請求項４記載の網焼き器であって、
前記蓋部に基端側が取り付けられたコイルばねと、
前記コイルばねの先端側に設けられ前記網部に引っ掛けられるフックと、を更に備えた網焼き器。
【手続補正２】
【補正対象書類名】明細書
【補正対象項目名】全文
【補正方法】変更
【補正の内容】
【発明の詳細な説明】
【技術分野】
【０００１】
本発明は、バーベキューグリル及び網焼き器に関する。
【背景技術】
【０００２】
特許文献１には、焼き茄子独特の風味、旨みを失わず、簡単な操作でムラなく均一に焼き上げることができ、焙焼完了後の焼き茄子表皮の剥離性も良好な焼き茄子補助具が記載されている。この焼き茄子補助具は、茄子を収容する筒体形状の茄子容器に把手を設け、茄子容器の側面を、長手方向の側面部材のみで構成することにより長手方向に連続した空隙を設けたことを特徴としている。
【先行技術文献】
【特許文献】
【０００３】
【特許文献１】特開平９−３７９６０号公報
【発明の概要】
【発明が解決しようとする課題】
【０００４】
本発明は、焼きムラを抑えて被調理物を加熱できるバーベキューグリル及び網焼き器を提供することを目的とする。
【課題を解決するための手段】
【０００５】
前記目的に沿う第１の発明に係るバーベキューグリルは、並んで配置され、それぞれ炭を受ける複数の炭受けと、
それぞれ前記複数の炭受けの上方に配置され、前記炭によって加熱される被調理物が内部に投入される複数の網焼き器と、を備え、
前記炭受けが、前記網焼き器が並ぶ方向に前記炭が散らばることを抑制する抑制部を有し、
前記網焼き器が、筒状の網で形成された網部と、
前記網部の長手方向の一方の側を覆う側部と、
前記網部の内周部に嵌まる窪みが形成され、前記網部の長手方向の他方の側を覆う蓋部と、
着脱可能に取り付けられ、前記蓋部、前記網部、及び前記側部を通るハンドルと、を有し、
前記蓋部の直径が、前記網部の直径よりも大きく、該蓋部の外周部に手を掛けることができ、
前記蓋部の中心部から離れた位置に孔が形成され、前記ハンドルが、該孔に挿入される固定部を有する。
【０００６】
【０００７】
【０００８】
【０００９】
【００１０】
【００１１】
第１の発明に係るバーベキューグリルにおいて、
前記網焼き器が、前記蓋部に基端側が取り付けられたコイルばねと、
前記コイルばねの先端側に設けられ前記網部に引っ掛けられるフックと、を更に有することが好ましい。
【００１２】
前記目的に沿う第２の発明に係る網焼き器は、筒状の網で形成された網部と、
前記網部の長手方向の一方の側を覆う側部と、
前記網部に嵌まる窪みが形成され、前記網部の長手方向の他方の側を覆う蓋部と、
前記側部及び前記蓋部に着脱可能に取り付けられ、前記網部の内部を通るハンドルと、
を備え、
前記蓋部の直径が、前記網部の直径よりも大きく、該蓋部の外周部に手を掛けることができ、
前記蓋部の中心部から離れた位置に孔が形成され、前記ハンドルが、該孔に挿入される固定部を有する。
前記目的に沿う第３の発明に係る網焼き器は、筒状の網で形成された網部と、
前記網部の長手方向の一方の側を覆う側部と、
前記網部の長手方向の他方の側を覆う蓋部と、
前記側部及び前記蓋部に着脱可能に取り付けられ、前記網部の内部を通るハンドルと、
を備え、
前記蓋部の中心部から離れた位置に孔が形成され、前記ハンドルが、該孔に挿入される固定部を有する。
第３の発明に係る網焼き器において、前記蓋部に基端側が取り付けられたコイルばねと、
前記コイルばねの先端側に設けられ前記網部に引っ掛けられるフックと、を更に備えることが好ましい。
【発明の効果】
【００１３】
本発明によれば、焼きムラを抑えて被調理物を加熱できるバーベキューグリル及び網焼き器を提供できる。
【図面の簡単な説明】
【００１４】
【図１】本発明の一実施の形態に係るバーベキューグリルの外観図である。
【図２】同バーベキューグリルが備える炭受け及び焼台の外観図である。
【図３】（Ａ）、（Ｂ）、及び（Ｃ）は、それぞれ同バーベキューグリルが備える炭受けの平面図、側面図、及び正面図である。
【図４】同バーベキューグリルが備える網焼き器の外観図である。
【図５】同バーベキューグリルが備える網焼き器の分解図である。
【発明を実施するための形態】
【００１５】
続いて、添付した図面を参照しつつ、本発明を具体化した実施の形態につき説明し、本発明の理解に供する。なお、図において、説明に関連しない部分は図示を省略する場合がある。
【００１６】
本発明の一実施の形態に係るバーベキューグリル１０は、例えばイベント等において、大量の被調理物（例えば数センチメートル角の肉）を焼くことができる。
バーベキューグリル１０は、図１及び図２に示すように、焼台１２、炭を受ける炭受け１４、及び炭によって加熱される網焼き器２０を備えている。
【００１７】
焼台１２は、図２に示すように、炭受け１４が収まり、網焼き器２０が載せられる台である。焼台１２は、受け部１２２、脚部１２４、及びフレーム１２５ａ、１２５ｂを有している。
【００１８】
受け部１２２は、上側が開口し、平面視して左右方向が長手となる矩形状の容器である。受け部１２２の上には、複数の炭受け１４が長手方向に並んで配置される。受け部１２２は、炭受け１４から落下した炭等を受けることができる。
受け部１２２の側面には、炭の燃焼に必要な空気の流量を調整するための空気調整窓１２８が設けられている。
脚部１２４は、受け部１２２の各角に設けられ、各脚部１２４の下端部にはキャスター１３０が設けられている。
フレーム１２５ａ、１２５ｂは、間隔を空けて受け部１２２の長手方向に延び、両端がそれぞれ脚部１２４の上端部に固定されている。フレーム１２５ａ、１２５ｂの上側の縁には、それぞれ、網焼き器２０が嵌まる窪み１２６が各炭受け１４の位置に対応して形成されている。
【００１９】
炭受け１４は、図３（Ａ）〜図３（Ｃ）に示すように、底板１４２及び側面板１４４ａ、１４４ｂを有している。
底板１４２は、平面視して矩形状であり、間隔を空けて複数の孔Ｈ１４２ａ、Ｈ１４２ｂが形成されている。複数の孔Ｈ１４２ａは、それぞれ炭受け１４を焼台１２の受け部１２２に固定するためのネジが通る孔であり、複数の孔Ｈ１４２ｂは、それぞれ底板の上に載る炭に下方から空気を供給するための空気孔である。
【００２０】
側面板（抑制部の一例）１４４ａ、１４４ｂは、それぞれ底板１４２の端部から延び、側面板１４４ａ、１４４ｂの間隔は、上方にある網焼き器２０の方向に向かうに従って広くなっている。従って、側面板１４４ａ、１４４ｂにより、炭受け１４が並ぶ方向に炭が散らばることが抑制される。また、側面板１４４ａ、１４４ｂにより、底板上の炭が発生する熱が網焼き器２０の方向へ反射するので、効率よく網焼き器２０が加熱される。
また、側面板１４４ａ、１４４ｂには、それぞれ複数の孔Ｈ１４４が形成されている。複数の孔Ｈ１４４は、それぞれ炭に対して側方から空気を供給するための空気孔である。
【００２１】
網焼き器２０は、図４及び図５に示すように、網部２０２、側部２０４、蓋部２０６、及びハンドル２０８を有し、内部に肉等の被調理物が投入される。
網部２０２は、筒状の網で形成されている。網の目の大きさは、被調理物の大きさよりも細かくなっている。
側部２０４は、網部２０２の長手方向の一方の側を覆う円板状の部材である。側部２０４の直径は、網部２０２の直径よりも大きくなっている。側部２０４の外周部を除く部分は網部２０２の内側に向かって窪んでいる。側部２０４の中心部には、孔Ｈ２０４が形成されている。
【００２２】
蓋部２０６は、網部２０２の長手方向の他方の側を覆う円板状の部材である。蓋部２０６の直径は、網部２０２の直径よりも大きくなっており、バーベキューグリル１０の使用者が外周部に手を掛けて、網焼き器２０の長手方向が上下方向となるように持つことができる。
蓋部２０６の外周部を除く部分は網部２０２の内側に向かって窪んでいる。蓋部２０６は、この窪みが網部２０２の内周部に嵌まることにより、網部２０２に対して位置決めされる。
蓋部２０６の中心部には、孔Ｈ２０６ａが形成され、中心部から離れた位置は孔Ｈ２０６ｂが形成されている。
蓋部２０６の一方の側の端には、網部２０２に連結される連結部（不図示）が設けられ、図５の矢印で示すように、この連結部を軸として網部２０２の開口部を開閉できるように取り付けられている。
蓋部２０６の他方の側（孔Ｈ２０６ａを挟んで連結部の反対側）の端には、引張コイルばね２１０の基端側が取り付けられている。この引張コイルばね２１０の先端側には、フック２１２が取り付けられている。フック２１２が網部２０２に引っ掛けられることにより、図４に示すように、蓋部２０６が網部２０２に固定される。
【００２３】
ハンドル２０８は、網部２０２の内部を通る丸棒状の部材であり、側部２０４及び蓋部２０６に着脱可能に取り付けられている。ハンドル２０８は、図５に示すように、支持部２０８ａ、把手部２０８ｂ、及び固定部２０８ｃを有している。
支持部２０８ａは、蓋部２０６の孔Ｈ２０６ａに挿入され、網部２０２の内部を通り、側部２０４の孔Ｈ２０４に挿入される。孔Ｈ２０４を通った支持部２０８ａの先端は、側部２０４から外側に突出する。支持部２０８ａの一方の側と他方の側は、それぞれ、焼台１２のフレーム１２５ａ、１２５ｂの上側の縁に形成された窪み１２６（図２参照）に載せられる。
把手部２０８ｂは、使用者が調理中に握る部分であり、支持部２０８ａから径方向にずれて延びている。
固定部２０８ｃは、支持部２０８ａから延び、蓋部２０６の孔Ｈ２０６ｂに挿入される。固定部２０８ｃの幅は、孔Ｈ２０６ｂの直径よりも僅かに大きく設定されているので、変形させて孔Ｈ２０６ｂに押し込むことで、ハンドル２０８が容易には抜けなくなる。
【００２４】
次に、バーベキューグリル１０の使用手順について説明する。バーベキューグリル１０は、以下の手順１〜８に従って使用され、被調理物が調理される。なお、以下に示す各手順は、可能な場合は、順番が入れ替わって実施されてもよいし並行して実施されてもよい。
【００２５】
（手順１）
図２に示す焼台１２の炭受け１４に炭を載せ、着火する。
（手順２）
網焼き器２０の蓋部２０６の外周部に手を掛けて持ち、網焼き器２０を側部２０４が下側になるようにして立てる。
【００２６】
（手順３）
網焼き器２０からハンドル２０８を引き抜いた後、フック２１２を外し、蓋部２０６を開ける。
（手順４）
網部２０２の内部に被調理物を投入する。
【００２７】
（手順５）
蓋部２０６を閉め、フック２１２を網部２０２に引っ掛ける。
【００２８】
（手順６）
ハンドル２０８の支持部２０８ａを蓋部２０６の孔Ｈ２０６ａ及び側部２０４の孔Ｈ２０４に通し、固定部２０８ｃを変形させて孔Ｈ２０６ｂに挿入する。
【００２９】
（手順７）
ハンドル２０８の支持部２０８ａを焼台１２の窪み１２６に載せる。すなわち、網焼き器２０を焼き台１２に載せる。
（手順８）
ハンドル２０８の把手部２０８ｂを持って網焼き器２０を回転させながら、被調理物を加熱する。
被調理物は、網焼き器２０の内部にて転がるように移動しながら加熱される。
【００３０】
従って、本実施の形態に係るバーベキューグリル１０によって加熱された被調理物は焼きムラが抑えられるので、効率よく調理される。また、炭受け１４によって炭が散らばることがないので、炭の火力が分散されることが抑制され、網焼き器２０が効率よく加熱される。
【００３１】
以上、本発明の実施の形態を説明したが、本発明は、上記した形態に限定されるものでなく、要旨を逸脱しない条件の変更等は全て本発明の適用範囲である。
【符号の説明】
【００３２】
１０  バーベキューグリル
１２  焼台
２０  網焼き器
１２２  受け部
１２４  脚部
１２５ａ、１２５ｂ  フレーム
１２６  窪み
１２８  空気調整窓
１３０  キャスター
１４  炭受け
１４２  底板
１４４ａ、１４４ｂ  側面板
２０２  網部
２０４  側部
２０６  蓋部
２０８  ハンドル
２０８ａ  支持部
２０８ｂ  把手部
２０８ｃ  固定部
２１０  引張コイルばね
２１２  フック
Ｈ１４２ａ、Ｈ１４２ｂ  孔
Ｈ１４４、Ｈ２０４  孔
Ｈ２０６ａ、Ｈ２０６ｂ  孔